(57)【要約】本発明は廃棄物浄化装置に関するものであり、廃棄物浄化装置は；清澄容器（２）と、清澄タンク（２）の上面に配置されたチャンバ（２０）の中に、不純物の規則的な供給を行うポンプ（２１、５０）と；廃棄物凝固または凝集反応物を、前記チャンバに加えるための少なくとも一つの定量ポンプ（２２、２３、２４）と；加えられた（一つ以上の）反応物と共に廃棄物を、前記チャンバから清澄タンクの内部に配置された凝集容器（１２）の底部に、送る導管（２５）とを具備し、容器内ではスラッジベッドが形成し、それを介して廃棄物が頂部から下流へ流れ、ベッドに接触する時に清澄される。
2004503368.tif 000002
【特許請求の範囲】
【請求項１】
清澄タンク（２）を具備した廃棄物浄化プラントは、
不純物を清澄タンク（２）の上面に配置されたチャンバ（２０）の中に、規則的に送るポンプ（２１、５０）と；
廃棄物凝固または凝集反応物を、前記チャンバに加えるための少なくとも一つの定量ポンプ（２２、２３、２４）と；
（一つ以上の）反応物と共に廃棄物を、前記チャンバから清澄タンクの内部に配置された凝集容器（１２）の底部に、搬送するパイプとを具備し、容器内にはスラッジベッドが形成し、廃棄物が前記ベッドを介して上方へ流れ、ベッドに接触する時に清澄されること、
を特徴とする廃棄物浄化プラント。
【請求項２】
凝集容器（１２）が、円筒状の下部まで伸長する切頭円錐形の上部（１３）を備え、その中にパイプ（２５）が延びることを特徴とする請求項１に記載の廃棄物浄化プラント。
【請求項３】
パイプ（２５）は、第一管（２６）と第二管（２７）とを備え、第一管はその一方の端部がチャンバ（２０）の中に延び、他方の端部が、放射状の均質化開口部（２８）を備え、第二管はその直径が第一管よりも大きく、その上方端部が第一管の放射状に配置した均質化開口部（２８）を覆い、下方端部が切頭円錐形容器（１２）の底部分の中に延びることを特徴とする請求項１または２に記載の廃棄物浄化プラント。
【請求項４】
清澄タンク（２）の底部分が、凝集容器を溢れ出るスラッジを受ける切頭円錐形部分（４）を有することを特徴とする請求項１〜３のいずれか一項に記載の廃棄物浄化プラント。
【請求項５】
ポンプ（８）が、清澄容器の切頭円錐形部分に集められたスラッジを抽出することを特徴とする請求項１〜４のいずれか一項に記載の廃棄物浄化プラント。
【請求項６】
寸法規制された開口部（３）が清澄タンク（２）の上部に配置され、清澄タンク（２）を取り囲む貯蔵タンクに、清澄された排出物を流入することができることを特徴とする請求項１〜５のいずれか一項に記載の廃棄物浄化プラント。
【請求項７】
送りパイプ（２５）の下端部が、末広がりの切頭円錐形断面を有することを特徴とする請求項１〜６のいずれか一項に記載の廃棄物浄化プラント。
【請求項８】
濾過材料（８）が、清澄タンク（１）と貯蔵タンク（１）との間に配置され、清澄された廃棄物が、貯蔵タンク（１）の底部分に蓄積される前に、前記濾過材料を介して流れることを特徴とする請求項１〜７のいずれか一項に記載の廃棄物浄化プラント。
【請求項９】
定量ポンプ（２２、２３、２４）が、廃棄物供給パイプ（１０）に配置された静電ミキサー（１１）の上流の混合チャンバの底部分（２）の中と、切頭円錐形容器の円筒状部分の底部の中の各々に、反応物を導くことを特徴とする請求項１〜８のいずれか一項に記載の廃棄物浄化プラント。
【請求項１０】
チャンバ（２０）と凝集容器（１２）との間に配置された濾過材料を具備した濾過容器（６０）と；
凝集容器（１２）と濾過容器（２０）との間に配置された壁と；
送りパイプ（２５）よりも直径が大きく且つそれと同軸で、壁（５１）と濾過容器（２０）との間に延びる排出パイプ（５６）と；
を備えることを特徴とする請求項１〜９のいずれか一項に記載の廃棄物浄化プラント。
【請求項１１】
凝集容器（１２）の切頭円錐形部分（１３）の上縁部が、タンク（１２）の内面に隣接することを特徴とする請求項１０に記載の廃棄物浄化プラント。
【請求項１２】
濾過容器（６０）が、その下面に、こし器（６２）によって保護され、濾過された水を流出できる開口部（６１）を有することを特徴とする請求項１０または１１に記載の廃棄物浄化プラント。
【請求項１３】
ポンプ（３６）が、貯蔵タンク（１）の外で清澄された廃棄物を吸い込み、それを、貯蔵タンクの外面に配置され、細菌学的な要素を固定する粒状物を収容した、少なくとも一つの環状チャンバ（３１）の中に導くことを特徴とする請求項１〜１２のいずれか一項に記載の廃棄物浄化プラント。
【請求項１４】
環状チャンバは四個（３１、３２、３３、３４）で、その各々が導管（３５）を介して互いに連結していることを特徴とする請求項１３に記載の廃棄物浄化プラント。
【請求項１５】
回収ポンプ（３９）が、上方環状チャンバ（３４）における清澄廃棄物を吸い上げ、それを複数の下方チャンバ（３１、３２、３３）の中に再注入することを特徴とする請求項１３または１４に記載の廃棄物浄化プラント。
【請求項１６】
貯蔵タンク（１）、清澄タンク（２）、凝集タンク（１２）、及び複数の環状チャンバが、プラスチックで作られることを特徴とする請求項１〜１５のいずれか一項に記載の廃棄物浄化プラント。
【発明の詳細な説明】
【０００１】
（技術分野）
本発明の目的は、水の物理化学的及び細菌学的な浄化用のプラントである。
【０００２】
（背景技術）
殆どの産業廃棄物は現在、処理及び浄化のため、浄化ステーションに排出されている。
【０００３】
この目的のため、契約書が、廃棄物を排出する工業会社と水処理企業との間で、作成されている。
【０００４】
この廃棄物の処理のコストは、工業会社にとって非常に高く、場合によって水消費コストが限度を越え得る。
【０００５】
廃棄物処理に関する責任が、従って工業会社に帰するならば、消費廃棄物を処理する独自の手段を、会社に設置することは明らかであろう。
【０００６】
しかし、消費廃棄物を処理する従来のプラントは、例えば地域社会に比べて少量の水を排出する事業の規模に関して、消費廃棄物の処理に関して充分に適してはいない。
【０００７】
これは、従来のプラントが、廃棄物の均質化、脱脂、凝固及び凝集動作を連続して行う幾つかの要素から構成されているからである。それらのプラントは、高価且つ大きな範囲の土地を占有する。
【０００８】
それらの理由のため、工業会社にとって、その廃棄物を浄化するため独自の設備を備えることは、困難である。
【０００９】
本発明の目的は、小さな空間を占め且つ低い設備及び動作コストで、高度な浄化を達成する廃棄物処理プラントを提供することである。
【００１０】
（発明の開示）
この目的のため、本発明による廃棄物浄化プラントは、
清澄タンクと；
不純物を規則的に清澄タンクの上面に配置されたチャンバの中に、送るポンプと；
廃棄物凝固または凝集反応物を、前記チャンバに加えるための少なくとも一つの定量ポンプと；
反応物と共に廃棄物を、前記チャンバから清澄タンクの内部に配置された凝集容器の底部に、運ぶパイプとを具備し、容器内にはスラッジベッドが形成し、廃棄物が前記ベッドを介して上方へ流れ、ベッドに接触する時に清澄される。
【００１１】
廃棄物をスラッジベッドの基部の中に導くことによって、スラッジベッドを構成するフロック上において、廃棄物に存在する有機及び無機の汚染物質の集合が、最大まで増える。加えて、規則的な廃棄物の流入が、フロックを活動させ始め、それらの集合能力を増やすことができる。従って、このプラントは短時間で非常に効果的な凝集ができる。
【００１２】
当然、凝集プロセスが最高になるので、化学反応物の消費は減る。
【００１３】
本発明によるプラントは、７０％以上のＢＯＤ減少度に達し、材料の優秀な濾過を達成する。
【００１４】
廃棄物の汚染物に関する主な特徴の一つは、ＢＯＤまたは生物学的酸素要求量であり、それはこの廃棄物における有機物を同化するため、廃棄物に存在する微生物の酸素消費量である。
【００１５】
特に有利には、凝集容器が円筒状の下部まで伸長する切頭円錐形の上部を備え、その中にパイプが延びる。
【００１６】
凝集容器のこの特別有利な形態により、反応物と共に廃棄物が領域に導びかれ、その体積は相対的に、すなわち凝集容器の円筒状部分に限定される。この限定された体積において、凝集が特に強くなる。
【００１７】
更に、切頭円錐形部分の傾斜表面により、フロックの蓄積によって形成されたスラッジが、負荷の増加による影響により、凝集容器からあふれ出てもよい。
【００１８】
凝集は活動的になって、自己調整される。これはプラントに対して負荷を受けようと、凝集が常に任意に生じるからで、一方で円筒状部分における強い凝集を確実なものとし、他方で凝集容器の外に過剰なスラッジをあふれさせる。
【００１９】
本発明による得に有利な一つのポイントによると、送りパイプは、第一管と第二管とを備え、第一管はその一方の端部がチャンバの中に延び、他方の端部が切頭円錐形容器の表面の上に、放射状の均質化開口部を備え、第二管はその直径が第一管よりも大きく、上方端部が第一管の放射状に配置した均質化開口部を覆い、下方端部が切頭円錐形容器の底部分の中に延びる。
【００２０】
送りパイプの形態は、廃棄物及び反応物を、凝集容器の底部分の中に導かれる前に、均質的に混合することができる。
【００２１】
有利には、清澄タンクの底部分が、凝集容器を溢れ出るスラッジを受ける切頭円錐形部分と、清澄容器の切頭円錐形部分に集められたスラッジを抽出するポンプを有する。
【００２２】
清澄タンクの底部分の切頭円錐形状により、切頭円錐形容器の外にあふれ出たスラッジが、清澄タンクの基部の画定した表面上に集められる。このスラッジは、ポンプによって簡単に抽出することができる。従って負荷の変化が、難なく吸収され得、スラッジベッドが自主的に調整される。
【００２３】
好ましくは、寸法規制された開口部が清澄タンクの上部に配置され、清澄タンクを取り囲む貯蔵タンクに、清澄された排出物を流入することができる。
【００２４】
貯蔵タンクは清澄タンクを取り囲み、それによって特別小型のプラントを得ることが可能で、占める基本的な空間は従来技術のプラントよりも著しく少ない。
【００２５】
有利には、送りパイプの下端部が、末広がりの切頭円錐形断面を有し、スラッジベッドにおける廃棄物の散布を改善するようにしている。
【００２６】
本発明の好ましい実施形態によると、濾過材料が清澄タンクと貯蔵タンクとの間に配置され、清澄された廃棄物が、貯蔵タンクの底部分に蓄積される前に、前記濾過材料を介して流れる。
【００２７】
有利な特徴によると定量ポンプが、廃棄物供給パイプに配置された静電ミキサーの上流の混合チャンバの底部分の中と、切頭円錐形容器の円筒状部分の底部の中の各々に、反応物を導く。従って反応物は、その反応が最適なポイントになるプラントの中に導かれる。
【００２８】
本発明が有し得る有利な特徴によると、廃棄物清澄プラントは、
チャンバと凝集容器との間に配置された濾過材料を具備した濾過容器と；
凝集容器と濾過容器との間に配置された壁と；
送りパイプよりも直径が大きく且つそれと同軸で、壁と濾過容器との間に延びるパイプと；
を備える。
【００２９】
好ましくは、凝集容器の切頭円錐形部分の上縁部が、タンクの内面に接触する。
【００３０】
好ましくは濾過容器が、その下面に、こし器によって保護され、濾過された水を流出できる開口部を有する。
【００３１】
濾過物質は、清澄容器の出口における余分な廃棄物を、減らすことができる。
【００３２】
本発明による一つの特別有利な実施形態によると、ポンプが貯蔵タンクの外で清澄された廃棄物を吸い込み、それを、貯蔵タンクの外面に配置され、細菌学的な要素を固定する粒状物を収容した、少なくとも一つの環状チャンバの中に導く。
【００３３】
清澄された廃棄物を、細菌学的な要素を固定する粒状物を収容した環状チャンバにおいて、活動させ始める。環状チャンバにおける廃棄物によってうける渦状流が、そこで粒状物と廃棄物との間を、かなり良好に接触させることでき、細菌の固定を早める。ＢＯＤ減少度は、９５％以上に達する。
【００３４】
好ましくは、環状チャンバは個数が四つで、その各々が導管を介して互いに連結している。
【００３５】
各環状チャンバは、特別な細菌を固定する特性を有した粒状物を収容しており、廃棄物が四つのチャンバを介して連続的に通過し、非常に良好な生物学的処理が達成される。
【００３６】
有利には回収ポンプが、上方環状チャンバにおける清澄廃棄物を吸い上げ、それを複数の下方チャンバの中に再注入する。
【００３７】
回収ポンプが、廃棄物の規則的な環状速度を維持し、粒状物が浮遊状態になる。
【００３８】
好ましくは、貯蔵タンク、清澄タンク、凝集タンク、及び複数の環状チャンバが、プラスチックで作られる。
【００３９】
（発明を実施するための最良の形態）
本発明を理解するため、廃棄物除去プラントの好ましい実施形態を示した添付図面を参照して、以下で本発明を説明する。
【００４０】
図１に示された断面図のように、廃棄物浄化プラントが円筒状貯蔵タンク１を備えている。円筒状清澄タンク２は、タンク１の内部で同軸に配置されている。浄化タンク２は、その上部に、規則的に配置された寸法規制円形開口部３を有し、その下部に切頭円錐形部４を有している。同軸のタンク１及び２は、環状プラットフォーム５によって結合されており、そこにフィルター８が載っている。環状プラットフォーム５は、規則的に配置した開口部６によって貫通されている。開口部６は各々こし器７によって覆われている。
【００４１】
凝集容器１２は、タンク２の内部に配置されている。容器１２は下方へ小さくなる横断面を有し、円筒状下部１４によって延びる、切頭円錐形上部１３から成る。凝集容器１２は、その下面に、タンク２の底部に載る足部１５を備えている。
【００４２】
抽出パイプ１７が、凝集容器１２の足部１５の間に延びており、ポンプ１８が抽出を行う。
【００４３】
チャンバ２０が、タンク２の上面に配置されている。チャンバ２０には、ポンプ２１によって処理される廃棄物が供給される。
【００４４】
供給パイプ１０は処理される廃棄物を、チャンバ２０の中に運び、その移動はポンプ２１によって実行される。
【００４５】
供給パイプがチャンバ２０に正接するように入っており、その様な方法で、廃棄物が反渦効果と正接的にチャンバの中に導かれる。
【００４６】
静電ミキサー１１が、チャンバ２０の上流の供給パイプに配置されている。
【００４７】
定量ポンプ２２、２３、２４は、凝集または凝固反応物をチャンバ２０の底部分の中と、静電ミキサー１１の上流の供給パイプ１０の中と、凝集ベース１２の円筒状部分の底部の中の各々に注入する。
【００４８】
垂直送りパイプ２５が、チャンバ２０から凝集容器１２の円筒状部分１４の中に延びている。送りパイプ２５は、管２６の直径よりも大きな直径の第二管２７の中に延びる、第一管２６を備えている。その上端部において、管２６がチャンバ２０の中に延びており、その下端部に、放射状の開口部２８を備えている。半球要素２９は、管２６の下端部を塞いでいる。管２７は、管２６の開口部２８を覆い、凝集容器１２の円筒状部分に延び下がっている。
【００４９】
その外面では、タンク１が四つの重なり合った環状チャンバ３１、３２、３３、３４を受容している。
【００５０】
各チャンバは、導管３５を介して隣接したチャンバと連結している。
【００５１】
ポンプ３６は、パイプ３７を介してタンク１の底部から取り入れ、下方管状チャンバ３１の中に排出するために備えられている。
【００５２】
回収ポンプ３９は、上方環状チャンバ３４から取り入れ、二つの中間チャンバ３２及び３３の中に運ぶためのものである。
【００５３】
空気循環路３８は、圧縮空気を各環状チャンバ３１、３２、３３及び３４の中と、各こし器７の中に導く。
【００５４】
この導入は、コンプレッサ（図示せず）によって行われている。
【００５５】
環状チャンバは各々、チャンバの内部に出入りできるマンホール４１を設けている。
【００５６】
上方環状チャンバ３４は、貯蔵タンク１の頂部まで延び、外部に開いた開口部４３を備えている。
【００５７】
上記のプラントの動作は、以下のように：最初に処理される廃棄物は、物理化学的な処理を受け、そして細菌学的な処理を受ける。
【００５８】
貯蔵領域４５から出る廃棄物は、ポンプ２１によって吸い上げられ、チャンバ２０の中に導かれる。反応物は、静電ミキサーの上流の廃棄物の中に導かれ、静電ミキサーが確実に、廃棄物と反応物を非常に早く混合する。ポンプ２１による廃棄物の吸引は、例えば１５〜６０秒の停止時間の後に１５〜３０秒の吸引のように、断続的に行い、廃棄物が規則的な方法でチャンバ２０の中に導かれる。チャンバ２０において、ポンプ２２が凝固または凝集反応物を、廃棄物の中に注入する。それら反応物は、塩化第二鉄、硫酸アルミニウムまたは、重合体であり得、それらは処理される廃棄物のタイプに依存している。ポンプ２２及び２３の作動は、廃棄物脈流周期（ｅｆｆｌｕｅｎｔ ｐｕｌｓａｔｉｏｎ ｐｅｒｉｏｄ）に対応している。
【００５９】
ポンプ２１による規則的な移送の効果により、反応物と共に廃棄物が、チャンバ２０の外に流れ出て、垂直パイプ２５を介して出る。
【００６０】
パイプの上方管２６に形成された開口部２８は、廃棄物／反応物の溶液を均質化することができる。
【００６１】
送りパイプ２５の底部において、廃棄物は、フロックから成るスラッジベッドに接触させられる。フロックは廃棄物を活動させ始める脈流によって、懸濁液の中に入れられる。スラッジベッドを形成するフロックに接触すると、有機または無機汚染物質が、それらフロック上に集合し、廃棄物が次第にスラッジベッドを通過して、清澄される。ポンプ２４により凝集反応物を入れることによって、凝集を強めることが可能である。
【００６２】
負荷が増加すると、過剰なスラッジが凝集容器の外にあふれ、清澄タンク２の切頭円錐形部分４の中心部に収集する。それはポンプ１８によって抽出される。
【００６３】
清澄された廃棄物が、スラッジベッドを形成するフロックよりも低密度なため、その廃棄物は清澄タンクの外に、そこに形成された開口部３を介して、溢れ出す。
【００６４】
清澄された廃棄物が、清澄タンクを取り囲む貯蔵タンク１の下部の中にあふれ出て、濾過物質８を介して流れる。
【００６５】
この濾過物質は、石英、ポラゾン、活性炭、珪藻土または、軽石の粒状物から成り得、清澄後に廃棄物の余分な負荷を減らすことが可能である。
【００６６】
濾過物質は、水／空気混合物をノズル９を介して逆流方向に導くことによって、洗浄され得る。この混合物の導入は、ポンプ１８によって過剰なスラッジの抽出と同時、且つ同じ量で行い、清澄力を妨げない。
【００６７】
このポイントで、廃棄物は物理化学的処理を受け、それゆえ清潔になる。それは貯蔵タンクの下部に蓄えられる。
【００６８】
そして廃棄物は、ポンプ３６によって吸い上げられ、空気を加えた後、それは環状チャンバ３１の中へ正接方向に排出され、このチャンバの内部に渦を形成させる。チャンバ３１は、廃棄物内に存在する細菌を固定する粒状物を収容しており、粒状物は懸濁液に入れられ、渦流の効力により揺り動かされる。この粒状物を懸濁液に入れて、それを揺り動かすことによって、廃棄物内に存在する細菌学的汚染物質が、かなり良好に固定される。
【００６９】
ポンプ３９は、導管３５を介して連結した環状チャンバ３２、３３及び３４の中に、廃棄物を吸い上げる。それは、上方チャンバ３４から中間チャンバ３２及び３３の中に吸い上げられた廃棄物を再注入することによって、前記環状チャンバにおいて、一定の速度を維持する。各チャンバ３１、３２及び３３は、特別な細菌に作用する、特別な粒状物（活性炭、砂または寸法規制されたポリスチレンビーズ）を収容しており、廃棄物が環状チャンバ３４から開口部４３を介して抽出されると、それによって完全な細菌学的処理を受ける。
【００７０】
廃棄物が、後処理、例えば図２において参照符号４５によって示された殺菌剤の追加される。
【００７１】
図３は、隔離された場所にあって、飲料水を運ぶことを目的とした本発明による実施形態を示している。
【００７２】
本発明によるプラントは、ハンドポンプ５０を介して供給されている。
【００７３】
タンク２は、二つの水平壁５１及び５２によって、上部４７、中間部４８、下部４９に分割されている。
【００７４】
上部は、チャンバ２０を有し、その中にパイプ２５が壁５３に作られた開口部を介して延びている。
【００７５】
送りパイプ２５は、チャンバ２０を、タンク２の下部に配置された凝集容器１２に接続されている。
【００７６】
パイプ２５の下端部は、末広がりの切頭円錐形断面部分５７を有している。
【００７７】
凝集容器１２は、タンクの底部上に載っており、その切頭円錐形上部１３は、タンク２の内壁に結合している。
【００７８】
凝集容器の切頭円錐形上部１３では、溢れ出し開口部５５が貫通している。
【００７９】
壁５１は円形開口部によって貫通され、そこには送りパイプ２５と同心の排出パイプ５６が接続されている。
【００８０】
排出パイプ５６は、その上端部に放射状の溢れ出し開口部５９を有し、砂のような濾過材料を充填した濾過タンク６０で終端している。
【００８１】
パイプ６６は、タンク６０を濾過材料で充填できる。
【００８２】
濾過タンク６０の底部は、こし器６２によって保護された開口部を備えている。
【００８３】
各こし器６２は、ポンプ５０に接続された洗浄ノズル６５を備えている。
【００８４】
タンク２の上部、中間部、下部の各々は、排水弁６１、６２、６３を備えている。
【００８５】
手動三方弁６７により、ハンドポンプ５０が壁６８から出るか、またはタンク２の中間部から出る流体を、吸い上げることができる。手動三方弁６８によって、このポンプがタンク２の上部か、または洗浄ノズル６５につながるパイプ７０の中に運ぶ。
【００８６】
本発明による実施形態の動作を説明する。
【００８７】
弁６７及び６８は、壁６８からの飲用不可能な水を吸い上げ、この水をタンク２の上部の中に運ぶようにセットされている。
【００８８】
水の沈殿動作が行われ、粒子が壁５２上に蓄積される。
【００８９】
凝集または凝固反応物が、ポンプ（図示せず）によってチャンバ２０の中に導かれる。
【００９０】
充分な量の水が上部４７に導かれると、水がチャンバ２０の中と、凝集容器１２の中に延びる送りパイプ２５の中に溢れる。
【００９１】
送りパイプ２５の底部では、水をフロックから成るスラッジベッドと接触させる。送りパイプ２５の末広がり切頭円錐形断面部分により、スラッジベッドに、水の優れた散布をできる。従って、水が流動化スラッジベッドと接触して清澄される。
【００９２】
過剰なスラッジが、凝集容器１２から開口部５５を介して放出し、タンク２の底部の中に溢れ出る。このスラッジは、弁６３を介して抽出され得る。
【００９３】
ポンプ５０による規則的な運搬の効果により、清澄された水が排出パイプ５６を介して底部４９から出て、開口部５９を介して濾過タンク６０の中へ溢れ出る。
【００９４】
タンクが砂のような濾過材料で充填されているので、清澄された水が濾過動作を受ける。水は、こし器６２によって保護された開口部６１を介して、タンク６０を出て、中間部４８に蓄積される。
【００９５】
水を使い果たすため、弁６２を介して抜き取ってもよい。
【００９６】
また水は弁６７及び６８をセッティングすることによって、第二清澄サイクルも受け、その様な方法で、ポンプ６０が中間部４８から第一清澄サイクルを受けた水を吸い上げ、更なる清澄サイクルを受けるため、この水を上部４７の中に運ぶ。
【００９７】
弁６７及び６８は、水が中間部４９から吸い上げられ、パイプ７０を介して洗浄ノズル６５の中に運ばれる。洗浄ノズル６５は、こし器６２の中に開いて、逆流方向に送られる水が濾過媒体を洗浄する。この動作の間、弁６３が開いている。
【００９８】
ゆえに本発明は、低い設置コストの特に小型の廃棄物清澄プラントを提供し、優れた物理化学的且つ細菌学的な浄化を実行することができる。
【００９９】
言うまでもなく、本発明は上記で説明した実施形態に制限されることはなく、むしろそのずべての実施変形例を含んでいる。ゆえに、この浄化プラントは、種々のポンプを制御する電子装置を組み込み、且つ運搬可能なプラットフォーム上に載った、モジュールの形式で設置され得る。
【図面の簡単な説明】
【図１】
本発明によるプラントの断面図。
【図２】
処理設備に組み込まれた本発明による廃棄物浄化プラント。
【図３】
隔離された場所にあって飲料水を運ぶことを目的とした本発明の別の実施形態。
【国際公開パンフレット】
2004503368.tif 000003
2004503368.tif 000004
2004503368.tif 000005
2004503368.tif 000006
2004503368.tif 000007
2004503368.tif 000008
2004503368.tif 000009
2004503368.tif 000010
2004503368.tif 000011
2004503368.tif 000012
2004503368.tif 000013
2004503368.tif 000014
2004503368.tif 000015
2004503368.tif 000016
2004503368.tif 000017
2004503368.tif 000018
2004503368.tif 000019
2004503368.tif 000020
2004503368.tif 000021
【国際調査報告】
2004503368.tif 000022
2004503368.tif 000023
2004503368.tif 000024
2004503368.tif 000025
2004503368.tif 000026
2004503368.tif 000027